(57)【要約】      （修正有）【課題】定着長さを維持した状態でアンカーボルトの高さを調節できるようにするアンカーボルト支持装置を提供する。【解決手段】アンカーボルト支持装置１は、連結支持部４と、アンカーボルト９と、アンカーボルト９と連結支持部４との相対上下位置を調節するための上下調節機構１０とを有する。上下調節機構１０は、調節ナット１１と、調節ナット１１に下方から螺合する調節ボルト１２とを含む。高さの調節は定着板１３より下のアンカーボルト９の余長のみによって行われるため、定着長さが維持された状態で高さ位置を調整できる。【選択図】図１
2020105881.tif 000002
【特許請求の範囲】
【請求項１】
基礎地盤上に立設されてアンカーボルトを支持すると共に、前記アンカーボルトを所定の高さに調節するためのアンカーボルト支持装置であって、
上下に延在するように前記基礎地盤上に立設されるべき連結支持部と、
前記連結支持部の上端側に、前記連結支持部に対して上下方向に摺動可能にガイドするガイド機構を介して連結された下端を有する前記アンカーボルトと、
前記アンカーボルトと前記連結支持部との相対上下位置を調節するための上下調節機構とを有し、
前記上下調節機構が、軸線が上下方向を向くように、かつ前記連結支持部に対して下向きの力を伝達可能に設けられた調節ナットと、前記調節ナットに下方から螺合し、かつ下方に頭部が位置する調節ボルトとを含むことを特徴とするアンカーボルト支持装置。
【請求項２】
前記連結支持部が第１アングル材を含み、
前記上下調節機構が、前記第１アングル材に設けられた貫通孔に挿通され、かつ締結された両端を有するＬボルトを含み、
前記Ｌボルトが前記アンカーボルトを支持し、
前記アンカーボルトを前記第１アングル材のＶ溝面の内側に当接した状態で保持することにより、ガイド機構が構成されたことを特徴とする請求項１に記載のアンカーボルト支持装置。
【請求項３】
前記調節ナットが、前記連結支持部の前記第１アングル材の前記Ｖ溝面の内側に固着されていることを特徴とする請求項２に記載のアンカーボルト支持装置。
【請求項４】
複数の前記アンカーボルト及び少なくとも１つの前記連結支持部を備え、
前記連結支持部が第１アングル材を含み、
前記上下調節機構が、前記アンカーボルトの下端近傍間に水平に架け渡された支持プレートと、前記支持プレートから対応する前記第１アングル材に重合するように下向きに延出する第２アングル材とを有し、
前記ガイド機構が前記第１アングル材と前記第２アングル材とを含み、
前記調節ナットが前記第１アングル材の上縁に回転不能に当接していることを特徴とする請求項１に記載のアンカーボルト支持装置。
【請求項５】
前記調節ナットは、水平方向に延在する２つの凸部を有し、前記凸部は、前記第２アングル材に上端が開口するように設けられた溝に挿入されたことによって回転不能に係止されることを特徴とする請求項４に記載のアンカーボルト支持装置。
【請求項６】
前記連結支持部が第１アングル材を含み、
前記上下調節機構が、前記アンカーボルトの下端に螺合された支持ナットと、前記支持ナットの下端に、その上端が固着され、前記第１アングル材に重合するように下向きに延出する第２アングル材とを含み、
前記ガイド機構が、前記第１アングル材と、前記第２アングル材とを含み、
前記調節ナットが、前記第１アングル材の上縁に固定されていることを特徴とする請求項１に記載のアンカーボルト支持装置。
【請求項７】
請求項１に記載のアンカーボルト支持装置を組み立てる方法であって、
前記連結支持部と、前記アンカーボルトと、前記上下調節機構とを取り付けることにより、前記アンカーボルト支持装置を工場において組み立てるステップと、
組み立てられた前記アンカーボルト支持装置を前記工場から建築作業現場に運搬するステップと、
前記建築作業現場において、捨てコンクリートが打設された前記基礎地盤上に、アンカー部材を介して前記アンカーボルト支持装置を立設した後、前記調節ナットに対して前記調節ボルトを螺進または螺退させることにより前記アンカーボルトの高さを調節するステップとを含むことを特徴とするアンカーボルト支持装置を組み立てる方法。
【発明の詳細な説明】
【技術分野】
【０００１】
本開示は、アンカーボルトを配置するため、アンカーボルトを支持して基礎コンクリートに埋設されるアンカーボルト支持装置に関する。本開示は特に、アンカーボルトの突出高さを所望の高さに調節可能にしたアンカーボルト支持装置に関する。
【背景技術】
【０００２】
アンカーボルト支持装置は、建物の基礎コンクリート内にアンカーボルトを配置するための装置である。アンカーボルトは、その上端側のねじ部が基礎コンクリートから突出するように配置される。アンカーボルト支持装置は、基礎コンクリートの打設前に、アンカーボルトを支持した状態で、基礎地盤上に打設された捨てコンクリート等の表面に固定され、その後、基礎コンクリートの打設によって基礎コンクリート内に埋設される（例えば、特許文献１）。
【先行技術文献】
【特許文献】
【０００３】
【特許文献１】特開２００６−１６１３０４号公報
【発明の概要】
【発明が解決しようとする課題】
【０００４】
特許文献１に記載のアンカーボルト支持装置は、アンカーボルトの下端側と支柱部材の上端側との間に高さ調節が可能な連結支持部を有する。連結支持部の定着板と連動する高さ調節ナットを回動させることにより鉛直方向に対してアンカーボルトを昇降させて高さ調節を行うため、アンカーボルトの取り付け時には、予め定められた定着長さ（アンカーボルトにおける基礎コンクリート上面から高さ調節ナットと共に変位する定着板までの長さ）を確保するように注意しながら高さ位置を調節する必要があった。
【０００５】
このような問題を鑑み、本発明は、アンカーボルトの定着長さが維持された状態で高さ位置を調節することのできるアンカーボルト支持装置を提供することを目的とする。
【課題を解決するための手段】
【０００６】
本発明の少なくともいくつかの実施形態は、基礎地盤上に立設されてアンカーボルト（９）を支持すると共に、前記アンカーボルトを所定の高さに調節するためのアンカーボルト支持装置（１）であって、上下に延在するように前記基礎地盤上に立設されるべき連結支持部（４，１８）と、前記連結支持部の上端側に、前記連結支持部に対して上下方向に摺動可能にガイドするガイド機構を介して連結された下端を有する前記アンカーボルトと、前記アンカーボルトと前記連結支持部との相対上下位置を調節するための上下調節機構（１０，２０）を有し、前記上下調節機構が、軸線が上下方向を向くように、かつ前記連結支持部に対して下向きの力を伝達可能に設けられた調節ナット（１１，２２）と、前記調節ナットに下方から螺合する調節ボルト（１２）とを含むことを特徴とする。好ましくは、上記構成において、前記調節ナットが、前記連結支持部に固着されていることを特徴とする。
【０００７】
この構成によれば、高さの調節は、定着板より下のアンカーボルトの余長のみによって行われるため、アンカーボルトの定着長さが維持された状態で高さ位置を調節することができる。
【０００８】
本発明の少なくともいくつかの実施形態は、上記構成のいずれかにおいて、前記連結支持部（４）が第１アングル材（７）を含み、前記上下調節機構（１０）が、前記第１アングル材に設けられた貫通孔（１６）に挿通され、かつ締結された両端を有するＬボルト（１７）を含み、前記Ｌボルトが前記アンカーボルトを支持し、前記アンカーボルトを前記第１アングル材のＶ溝面の内側に当接した状態で保持することにより、ガイド機構が構成されたことを特徴とする。
【０００９】
この構成によれば、ガイド機構は、アンカーボルトを第１アングル材に対して上下方向に摺動可能にガイドすることができる。
【００１０】
本発明の少なくともいくつかの実施形態は、上記第１の構成において、複数の前記アンカーボルト及び少なくとも１つの前記連結支持部（１８）を備え、前記連結支持部が第１アングル材（１９）を含み、前記上下調節機構（２０）が、前記アンカーボルトの下端近傍間に水平に架け渡された支持プレート（２３）と、前記支持プレートから対応する前記第１アングル材に重合するように下向きに延出する第２アングル材（２１）とを有し、前記ガイド機構が前記第１アングル材と前記第２アングル材とを含み、前記調節ナット（２２）が前記第１アングル材の上縁に回転不能に当接していることを特徴とする。
【００１１】
この構成によれば、１枚の支持プレートで複数のアンカーボルトを支持し、１つの上下調節機構で複数のアンカーボルトの高さを同時に調節することができる。
【００１２】
本発明の少なくともいくつかの実施形態は、上記構成において、前記調節ナットは、水平方向に延在する２つの凸部（２９）を有し、前記凸部は、前記第２アングル材に上端が開口するように設けられた溝（３１）に挿入されたことによって回転不能に係止されることを特徴とする。
【００１３】
この構成によれば、調節ナットが脱落することを防止することができる。
【００１４】
本発明の少なくともいくつかの実施形態は、上記第１の構成において、前記連結支持部（４３）が第１アングル材（３４）を含み、前記上下調節機構（３５）が、前記アンカーボルトの下端に螺合された支持ナット（３８）と、前記支持ナットの下端に、その上端が固着され、前記第１アングル材に重合するように下向きに延出する第２アングル材（３６）とを含み、前記ガイド機構が、前記第１アングル材と、前記第２アングル材とを含み、前記調節ナット（３８）が、前記第１アングル材の上縁に固定されていることを特徴とする。
【００１５】
この構成によれば、アンカーボルトと一体になった第２アングル材を第１アングル材に摺動させることにより、アンカーボルトをガイドすることができる。
【００１６】
本発明の少なくともいくつかの実施形態は、上記第１の構成におけるアンカーボルト支持装置を組み立てる方法であって、前記連結支持部と、前記アンカーボルトと、前記上下調節機構とを取り付けることにより、前記アンカーボルト支持装置を工場において組み立てるステップと、組み立てられた前記アンカーボルト支持装置を前記工場から建築作業現場に運搬するステップと、前記建築作業現場において、捨てコンクリートが打設された前記基礎地盤上に、アンカー部材を介して前記アンカーボルト支持装置を立設した後、前記調節ナットに対して前記調節ボルトを螺進または螺退させることにより前記アンカーボルトの高さを調節するステップとを含むことを特徴とする。
【００１７】
この構成によれば、建築作業現場での作業を減らすことができる。
【発明の効果】
【００１８】
本発明によれば、アンカーボルトの定着長さが維持された状態で高さ位置を調節することのできるアンカーボルト支持装置を提供することができる。
【図面の簡単な説明】
【００１９】
【図１】本発明の第１実施形態に係るアンカーボルト支持装置の正面図
【図２】本発明の第１実施形態に係る連結支持部とアンカーボルトとの連結構造の拡大斜視図
【図３】本発明の第２実施形態に係る連結支持部とアンカーボルトとの連結構造の拡大側面図
【図４】本発明の第２実施形態に係る支持プレートの上面図
【図５】本発明の第２実施形態に係る第１アングル材上に配置された調節ナットの上面図
【図６】本発明の第３実施形態に係る連結支持部とアンカーボルトとの連結構造の拡大側面図
【発明を実施するための形態】
【００２０】
以下、図面を参照して、本発明の実施形態について説明する。図１は、本発明の第１実施形態に係るアンカーボルト支持装置１の正面図である。捨てコンクリート２を打設した基礎地盤上には、アンカー部材３を介して連結支持部４が立設され、連結支持部４は、ベース部５と、ベース部５に連結されて鉛直方向に延びるポストアングル材６と、ポストアングル材６に接続されてさらに鉛直方向に延びる第１アングル材７とを含む。ベース部５は、水平方向に延在する４本のアングル材８を組み合わせた矩形の枠形状を有する。ポストアングル材６は、枠形状の４隅からそれぞれ鉛直方向に延びる。ポストアングル材６は、第１アングル材７より安価かつ重量の軽い材料から製造された部材であってもよく、鋼棒に代えてもよい。これにより、材料費の削減、及び移送や施工の際の取り扱いを容易にすることができる。連結支持部４の上端には、ガイド機構を介してアンカーボルト９の下端側が連結され、連結支持部４とアンカーボルト９との相対上下位置は上下調節機構１０によって調節される。上下調節機構１０は、連結支持部４に対して下向きの力を伝達可能に設けられた調節ナット１１と、調節ナット１１に下方から螺合する調節ボルト１２とを含む。アンカーボルト９の下端近傍には、アンカーボルト９を挿通させる貫通孔を有する円盤状の定着板１３が取り付けられ、定着板１３は上下２つのナット１４によって固定される。アンカーボルト９の上端側にはテンプレート１５が装着される。
【００２１】
図２は、本発明の第１実施形態に係る連結支持部４とアンカーボルト９との連結構造の拡大斜視図である。連結構造は、第１アングル材７を含む連結支持部４と、第１アングル材７の上端側にガイド機構を介して連結された下端を有するアンカーボルト９と、アンカーボルト９と連結支持部４との相対上下位置を調節するための上下調節機構１０とを含む。
【００２２】
第１アングル材７は、各面に少なくとも１つの貫通孔１６がそれぞれ設けられたＶ溝面を有する部材である。アンカーボルト９は、第１アングル材７のＶ溝面の内側に当接した状態で保持され、これによりガイド機構が構成される。ガイド機構は、アンカーボルト９を第１アングル材７に対して上下方向に摺動可能にガイドする。アンカーボルト９の下端は、頭部が下方に位置する調節ボルト１２の軸部の上端に当接する。第１アングル材７に設けられた貫通孔１６に両端が挿通するように配置されたＬボルト１７は、アンカーボルト９の高さ調節前は、第１アングル材７のＶ溝面と協働してアンカーボルト９の下端側をゆるく挟むように配置される。調節ボルト１２は、第１アングル材７のＶ溝面に固着された板付きの調節ナット１１に螺合し、調節ボルト１２を螺進または螺退させることによってアンカーボルト９の高さを調節することが可能である。高さの調節後、Ｌボルト１７の両端を締結することにより、アンカーボルト９は第１アングル材７に固定される。高さの調節はアンカーボルト９の余長のみによって行われるため、アンカーボルト９の定着長さが維持された状態で高さ位置を調節することができる。
【００２３】
本発明の第１実施形態に係るアンカーボルト支持装置１は、以下の手順によって組み立てることができる。まず、工場において、連結支持部４と、アンカーボルト９と、上下調節機構１０とを取り付けることによりアンカーボルト支持装置１を組み立てる。次に、組み立てられたアンカーボルト支持装置１を工場から建築作業現場に運搬する。建築作業現場において、捨てコンクリート２が打設された基礎地盤上に、運搬されたアンカーボルト支持装置１をアンカー部材３を介して立設し、調節ナット１１に対して調節ボルト１２を螺進または螺退させることによりアンカーボルト９の高さを調節する。その後、Ｌボルト１７をきつく締めることでアンカーボルト９を第１アングル材７に固定する。
【００２４】
図３は、本発明の第２実施形態に係る連結支持部１８とアンカーボルト９との連結構造の拡大側面図である。説明に当たって、第１実施形態と共通する構成については同一の符号を付しその説明を省略する。連結支持部１８は第１アングル材１９を含み、上下調節機構２０は、第２アングル材２１と、調節ナット２２と、調節ボルト１２と、支持プレート２３とを含む。
【００２５】
第１アングル材１９は、基礎地盤上のベース部５（図１参照）の４隅から延びる、上下に延在する長孔２４が設けられた部材である。第２アングル材２１は、Ｖ溝面の上端より、水平方向外側に延在する２つの矩形部分２５を有する。第２アングル材２１の上端が第１アングル材１９の上端よりも高くなるように、第１アングル材１９の外面及び第２アングル材２１のＶ溝面は重合され、第２アングル材２１の長孔２４に挿通したボルト２６によって固定されることにより、第２アングル材２１は第１アングル材１９に対して高さ調節可能に接続される。第１アングル材１９の上端には調節ナット２２が配置され、調節ナット２２には頭部が下方に位置した状態で調節ボルト１２が螺合する。第２アングル材２１の矩形部分２５の上面及び調節ボルト１２の軸部の上端は、水平に延在した支持プレート２３の下面に当接し、第２アングル材２１及び支持プレート２３はボルト２７によって固定される。アンカーボルト９の下端側には、アンカーボルト９を挿通させる２つの貫通孔を有する１枚の定着板３２が支持プレート２３の上面に当接するように取り付けられ、定着板３２及び支持プレート２３は上下２つのナット３３によってそれぞれ固定される。
【００２６】
図４は、本発明の第２実施形態に係る支持プレート２３の上面図である。支持プレート２３には、アンカーボルト９を挿通するための２つの貫通孔２８が設けられる。１枚の支持プレート２３は、２本のアンカーボルト９の下端近傍間に水平に架け渡されて２本のアンカーボルト９を支持する。
【００２７】
図５は、本発明の第２実施形態に係る第１アングル材１９上に配置された調節ナット２２の上面図である。調節ナット２２は板付きナットであり、互いに直交する水平方向に延在する２つの凸部２９を有する。調節ナット２２は、凸部２９が、第２アングル材２１のそれぞれの板状部３０に上端が開口するように設けられた溝３１に挿入されるように、第１アングル材１９上に配置される。凸部２９が溝３１に係止されるため、調節ナット２２は第２アングル材２１に回転不能に係止され、第１アングル材１９の上縁に当接して支持される。調節ボルト１２は、頭部が下方に位置した状態で調節ナット２２に螺合する（図３参照）。
【００２８】
このように構成されるため、本発明の第２実施形態に係るアンカーボルト支持装置１は、１枚の支持プレート２３で２本のアンカーボルト９を支持し、１つの上下調節機構２０で２本のアンカーボルト９の高さを同時に調節することができる。
【００２９】
さらに、図示を省略するが、発明の第２実施形態の変形例として、第２アングル材２１の上端を、アンカーボルト９の下端近傍間に水平に架け渡されてアンカーボルト９をそれぞれ挿通させる１枚の定着板３２を固定する、上下２つのナット３３の下端に当接するように配置することができる。アンカーボルト９の下端は、頭部が下方に位置する調節ボルト１２の軸部の上端に当接するように配置され、第２アングル材２１に設けられた貫通孔に両端が挿通するように配置されたＬボルト１７は、第２アングル材２１のＶ溝面と協働してアンカーボルト９の下端側を挟むように配置される。調節ボルト１２は、第１アングル材１９の上端に回転不能に配置された調節ナットに螺合し、調節ボルト１２を螺進または螺退させることによってアンカーボルト９の高さを調節することが可能である。支持プレート２３は無くてもよい。この変形例では、３本のアンカーボルト９を支持し、高さを同時に調節することができる。
【００３０】
図６は、本発明の第３実施形態に係る連結支持部４３とアンカーボルト９との連結構造の拡大側面図である。説明に当たって、第１実施形態と共通する構成については同一の符号を付しその説明を省略する。連結支持部４３は第１アングル材３４を含み、上下調節機構３５は、第２アングル材３６と、調節ナット３７と、調節ボルト１２と、支持ナット３８とを含む。
【００３１】
第１アングル材３４は、基礎地盤上のベース部５（図１参照）の４隅から延びる部材であり、第２アングル材３６は、上下に延在する長孔３９が設けられた部材である。第２アングル材３６の上端が第１アングル材３４の上端よりも高くなるように、第１アングル材３４の外面及び第２アングル材３６のＶ溝面は重合され、第２アングル材３６の長孔３９に挿通したボルト４０によって固定されることにより、第２アングル材３６は第１アングル材３４に対して高さ調節可能に接続される。第１アングル材３４の上端には調節ナット３７が回転不能に配置され、調節ナット３７には頭部が下方に位置した状態で調節ボルト１２が螺合する。第２アングル材３６の上端は、支持ナット３８の下面に当接した状態で固着される。支持ナット３８に下端が螺合したアンカーボルト９の下端近傍には、アンカーボルト９を挿通させる２つの貫通孔を有する１枚の定着板４１が取り付けられ、定着板４１は上下２つのナット４２によって固定される。
【００３２】
本発明の第３実施形態に係るアンカーボルト支持装置１は、最初に第１アングル材３４と第２アングル材とを接続するボルト４０を緩く留め、調節ボルト１２を調節ナット３７に対して螺合させることによりアンカーボルト９の高さ位置を決定することができる。その後、ボルト４０を緊結して、アンカーボルト９の高さ調節を行うことができる。
【００３３】
以上で具体的実施形態の説明を終えるが、本発明は上記実施形態に限定されることなく幅広く変形実施することができる。例えば、第１実施形態における第１アングル材及びポストアングル材を１つのアングル材としてもよく、第２実施形態において１つの連結支持部及び１つの支持プレートで３本以上のアンカーボルトを支持してもよい。また、第３実施形態において、第２アングル材に設けられている長孔が第１アングル材に設けられてもよい。
【符号の説明】
【００３４】
１：アンカーボルト支持装置
４：連結支持部
６：ポストアングル材
７：第１アングル材
９：アンカーボルト
１０：上下調節機構
１１：調節ナット
１２：調節ボルト
１３：定着板
１７：Ｌボルト
１８：連結支持部
１９：第１アングル材
２０：上下調節機構
２１：第２アングル材
２２：調節ナット
２３：支持プレート
２５：矩形部分
２８：貫通孔
２９：凸部
３１：溝
３２：定着板
３４：第１アングル材
３５：上下調節機構
３６：第２アングル材
３７：調節ナット
３８：支持ナット
４３：連結支持部
【図１】
2020105881.tif 000003
【図２】
2020105881.tif 000004
【図３】
2020105881.tif 000005
【図４】
2020105881.tif 000006
【図５】
2020105881.tif 000007
【図６】
2020105881.tif 000008